(57)【特許請求の範囲】
【請求項１】
ファンに設けられた赤外線アレイセンサによってファンの前方に位置するユーザの肢体の現在の目標姿勢を識別するステップと、
前記目標姿勢に対応する目標制御方式を取得するステップと、
前記目標制御方式に応じた前記ファンの制御を行うステップと、を含み、
前記ファンに設けられた赤外線アレイセンサによってファンの前方に位置するユーザの肢体の現在の目標姿勢を識別するステップは、
前記赤外線アレイセンサに対応するカバーエリア内で赤外線放射を放出する赤外線放射エリアの変化軌跡を取得するステップであって、前記赤外線アレイセンサの中のすべての赤外線センサは、前記カバーエリアをＮ個のサブエリアに分割し、前記赤外線センサと前記サブエリアとは一対一で対応する関係となっている、取得するステップ、と、
検出された赤外線放射量が所定範囲内にある場合、前記変化軌跡に基づいて前記ユーザの肢体の目標姿勢を決定するステップであって、前記変化軌跡が前記サブエリアの赤外線放射の変化に基づいて決定される、決定するステップと、を含む、
ことを特徴とするファンの制御方法。
【請求項２】
前記ユーザの肢体がユーザの手部である場合、前記変化軌跡に基づいて前記ユーザの肢体の目標姿勢を決定するステップは、
前記赤外線放射エリアが所定期間内にそのまま維持されていると検出された場合、前記目標姿勢が、ファンをオン・オフにするための第１ジェスチャーであると決定するステップを含む、
ことを特徴とする請求項１に記載のファンの制御方法。
【請求項３】
前記目標姿勢に対応する目標制御方式を取得するステップは、
前記ファンの現在の作動状態を識別するステップと、
現在の作動状態がオン状態である場合、前記目標制御方式がオフ制御であると決定するステップと、
現在の作動状態がオフ状態である場合、前記目標制御方式がオン制御であると決定するステップと、を含む、
ことを特徴とする請求項２に記載のファンの制御方法。
【請求項４】
前記ユーザの肢体がユーザの手部である場合、前記変化軌跡に基づいて前記ユーザの目標姿勢を決定するステップは、
検出された前記赤外線放射エリアが左右に移動する場合、前記目標姿勢が、前記ファンの風速値を調整する第２ジェスチャーであると決定するステップを含む、
ことを特徴とする請求項１に記載のファンの制御方法。
【請求項５】
前記目標姿勢に対応する目標制御方式を取得するステップは、
検出された前記赤外線放射エリアが右へ移動する場合、前記第２ジェスチャーに対応する前記目標制御方式が風速値アップであると決定するステップと、
検出された前記赤外線放射エリアが左へ移動する場合、前記第２ジェスチャーに対応する前記目標制御方式が風速値ダウンであると決定するステップと、を含む、
ことを特徴とする請求項４に記載のファンの制御方法。
【請求項６】
前記第２ジェスチャーに対応する前記目標制御方式が風速値アップである場合、前記目標制御方式に応じた前記ファンの制御を行うステップは、
現在の風速値から前記風速値を最大値に達するまで徐々にアップさせるステップ、または、
現在の風速値から所定の調整ステップサイズに従って前記風速値をアップさせるステップを含み、
前記第２ジェスチャーに対応する前記目標制御方式が風速値ダウンである場合、前記目標制御方式に応じた前記ファンの制御を行うステップは、
現在の風速値から前記風速値を最小値に達するまで徐々にダウンさせるステップ、または、
現在の風速値から所定の調整ステップサイズに従って前記風速値をダウンさせるステップを含む、
ことを特徴とする請求項５に記載のファンの制御方法。
【請求項７】
前記ユーザの肢体がユーザの手部である場合、前記変化軌跡に基づいて前記ユーザの目標姿勢を決定するステップは、
検出された前記赤外線放射エリアが上下に移動する場合、前記目標姿勢が、前記ファンの首振り角度値を調整する第３ジェスチャーであると決定するステップを含む、
ことを特徴とする請求項１に記載のファンの制御方法。
【請求項８】
前記目標姿勢に対応する目標制御方式を取得するステップは、
検出された前記赤外線放射エリアが上へ移動する場合、前記第３ジェスチャーに対応する前記目標制御方式が首振り角度値アップであると決定するステップと、
検出された前記赤外線放射エリアが下へ移動する場合、前記第３ジェスチャーに対応する前記目標制御方式が首振り角度値ダウンであると決定するステップと、を含む、
ことを特徴とする請求項７に記載のファンの制御方法。
【請求項９】
前記第３ジェスチャーに対応する前記目標制御方式が首振り角度値アップである場合、前記目標制御方式に応じた前記ファンの制御を行うステップは、
現在の首振り角度値から前記首振り角度値を最大値に達するまで徐々にアップさせるステップ、または、
現在の首振り角度値から所定の調整ステップサイズに従って前記首振り角度値をアップさせるステップを含み、
前記第３ジェスチャーに対応する前記目標制御方式が首振り角度値ダウンである場合、前記目標制御方式に応じた前記ファンの制御を行うステップは、
現在の首振り角度値から前記首振り角度値を最小値に達するまで徐々にダウンさせるステップ、または、
現在の首振り角度値から所定の調整ステップサイズに従って前記首振り角度値をダウンさせるステップを含む、
ことを特徴とする請求項８に記載のファンの制御方法。
【請求項１０】
前記変化軌跡として前記赤外線放射エリアが所定期間内に前記ユーザの手部の現在位置に対応するサブエリアに維持されている場合、前記目標姿勢が第１ジェスチャーであると決定し、
前記変化軌跡として前記赤外線放射エリアが前記ユーザの手部の現在位置に対応するサブエリアから右または左へ平行に移動する場合、前記目標姿勢が第２ジェスチャーであると決定し、
前記変化軌跡として前記赤外線放射エリアが前記ユーザの手部の現在位置に対応するサブエリアから上または下へ平行に移動する場合、ユーザの目標姿勢が第３ジェスチャーであると決定する、
ことを特徴とする請求項２または４または７に記載のファンの制御方法。
【請求項１１】
ファンに設けられた赤外線アレイセンサによってファンの前方に位置するユーザの肢体の現在の目標姿勢を識別する識別モジュールと、
前記目標姿勢に対応する目標制御方式を取得する取得モジュールと、
前記目標制御方式に応じた前記ファンの制御を行う制御モジュールと、
前記赤外線アレイセンサに対応するカバーエリア内で赤外線放射を放出する赤外線放射エリアの変化軌跡を取得する取得ユニットであって、前記赤外線アレイセンサの中のすべての赤外線センサは、前記カバーエリアをＮ個のサブエリアに分割し、前記赤外線センサと前記サブエリアとは一対一で対応する関係となっている、取得ユニットと、
前記変化軌跡に基づいて前記ユーザの肢体の目標姿勢を決定する決定ユニットであって、検出された赤外線放射量が所定範囲内にある場合、前記変化軌跡に基づいて前記ユーザの肢体の目標姿勢を決定し、前記変化軌跡が前記サブエリアの赤外線放射の変化に基づいて決定される、決定ユニットと、を含む、
ことを特徴とするファンの制御装置。
【請求項１２】
前記決定ユニットは、具体的には、
前記ユーザの肢体がユーザの手部である場合、検出された前記赤外線放射エリアが所定期間内にそのまま維持されているとき、前記目標姿勢が、ファンをオン・オフにするための第１ジェスチャーであると決定する、
ことを特徴とする請求項１１に記載のファンの制御装置。
【請求項１３】
前記取得モジュールは、具体的には、
前記ファンの現在の作動状態を識別し、
現在の作動状態がオン状態である場合、前記目標制御方式がオフ制御であると決定し、
現在の作動状態がオフ状態である場合、前記目標制御方式がオン制御であると決定する、
ことを特徴とする請求項１２に記載のファンの制御装置。
【請求項１４】
前記決定ユニットは、具体的には、
前記ユーザの肢体がユーザの手部である場合、検出された前記赤外線放射エリアが左右に移動するとき、前記目標姿勢が、前記ファンの風速値を調整する第２ジェスチャーであると決定する、
ことを特徴とする請求項１１に記載のファンの制御装置。
【請求項１５】
前記取得モジュールは、具体的には、
検出された前記赤外線放射エリアが右へ移動する場合、前記第２ジェスチャーに対応する前記目標制御方式が風速値アップであると決定し、
検出された前記赤外線放射エリアが左へ移動する場合、前記第２ジェスチャーに対応する前記目標制御方式が風速値ダウンであると決定する、
ことを特徴とする請求項１４に記載のファンの制御装置。
【請求項１６】
前記制御モジュールは、具体的には、
前記第２ジェスチャーに対応する前記目標制御方式が風速値アップである場合、現在の風速値から前記風速値を最大値に達するまで徐々にアップさせ、または、現在の風速値から所定の調整ステップサイズに従って前記風速値をアップさせ、
または、前記制御モジュールは、具体的には、
前記第２ジェスチャーに対応する前記目標制御方式が風速値ダウンである場合、現在の風速値から前記風速値を最小値に達するまで徐々にダウンさせ、または、現在の風速値から所定の調整ステップサイズに従って前記風速値をダウンさせる、
ことを特徴とする請求項１５に記載のファンの制御装置。
【請求項１７】
前記決定ユニットは、具体的には、
前記ユーザの肢体がユーザの手部である場合、検出された前記赤外線放射エリアが上下に移動する場合、前記目標姿勢が、前記ファンの首振り角度値を調整する第３ジェスチャーであると決定する、
ことを特徴とする請求項１１に記載のファンの制御装置。
【請求項１８】
前記取得モジュールは、具体的には、
検出された前記赤外線放射エリアが上へ移動する場合、前記第３ジェスチャーに対応する前記目標制御方式が首振り角度値アップであると決定し、
検出された前記赤外線放射エリアが下へ移動する場合、前記第３ジェスチャーに対応する前記目標制御方式が首振り角度値ダウンであると決定する、
ことを特徴とする請求項１７に記載のファンの制御装置。
【請求項１９】
前記制御モジュールは、具体的には、
前記第３ジェスチャーに対応する前記目標制御方式が首振り角度値アップである場合、現在の首振り角度値から前記首振り角度値を最大値に達するまで徐々にアップさせ、または、現在の首振り角度値から所定の調整ステップサイズに従って前記首振り角度値をアップさせ、
または、前記制御モジュールは、具体的には、
前記第３ジェスチャーに対応する前記目標制御方式が首振り角度値ダウンである場合、現在の首振り角度値から前記首振り角度値を最小値に達するまで徐々にダウンさせ、または、現在の首振り角度値から所定の調整ステップサイズに従って前記首振り角度値をダウンさせる、
ことを特徴とする請求項１８に記載のファンの制御装置。
【請求項２０】
前記決定ユニットは、具体的には、
前記変化軌跡として前記赤外線放射エリアが所定期間内に前記ユーザの手部の現在位置に対応するサブエリアに維持されている場合、前記目標姿勢が第１ジェスチャーであると決定し、
または、前記変化軌跡として前記赤外線放射エリアが前記ユーザの手部の現在位置に対応するサブエリアから右または左へ平行に移動する場合、前記目標姿勢が第２ジェスチャーであると決定し、
または、前記変化軌跡として前記赤外線放射エリアが前記ユーザの手部の現在位置に対応するサブエリアから上または下へ平行に移動する場合、ユーザの目標姿勢が第３ジェスチャーであると決定する、
ことを特徴とする請求項１２、１４または１７のいずれか一項に記載のファンの制御装置。
【請求項２１】
ファン本体とベースとを含むファンであって、前記ファン本体が前記ベースに揺動可能に取り付けられ、
前記ファン本体は、
前記ファンの前方に位置するユーザの肢体の赤外線放射を検出する赤外線アレイセンサと、
前記赤外線アレイセンサに対応するカバーエリア内で赤外線放射を放出する赤外線放射エリアの変化軌跡を取得し、検出された赤外線放射量が所定範囲内にある場合、前記変化軌跡に基づいて前記ユーザの肢体の目標姿勢を決定し、前記目標姿勢に対応する目標制御方式を取得し、前記目標制御方式に応じた前記ファンの制御を行うコントローラと、を含み、
前記赤外線アレイセンサの中のすべての赤外線センサは、前記カバーエリアをＮ個のサブエリアに分割し、前記赤外線センサと前記サブエリアとは一対一で対応する関係となっており、前記変化軌跡が前記サブエリアの赤外線放射の変化に基づいて決定される、
ことを特徴とするファン。
【請求項２２】
前記コントローラは、具体的には、
前記ユーザの肢体がユーザの手部である場合、検出された前記赤外線放射エリアが所定期間内にそのまま維持されているとき、前記目標姿勢がファンをオン・オフにするための  第１ジェスチャーであると決定する、
ことを特徴とする請求項２１に記載のファン。
【請求項２３】
前記コントローラは、具体的には、
前記ファンの現在の作動状態を識別し、
現在の作動状態がオン状態である場合、前記目標制御方式がオフ制御であると決定し、
現在の作動状態がオフ状態である場合、前記目標制御方式がオン制御であると決定する、
ことを特徴とする請求項２２に記載のファン。
【請求項２４】
前記コントローラは、具体的には、
前記ユーザの肢体がユーザの手部である場合、検出された前記赤外線放射エリアが左右に移動する場合、前記目標姿勢が、前記ファンの風速値を調整する第２ジェスチャーであると決定する、
ことを特徴とする請求項２２に記載のファン。
【請求項２５】
前記コントローラは、具体的には、
検出された前記赤外線放射エリアが右へ移動する場合、前記第２ジェスチャーに対応する前記目標制御方式が風速値アップであると決定し、
検出された前記赤外線放射エリアが左へ移動する場合、前記第２ジェスチャーに対応する前記目標制御方式が風速値ダウンであると決定する、
ことを特徴とする請求項２４に記載のファン。
【請求項２６】
前記コントローラは、具体的には、
前記第２ジェスチャーに対応する前記目標制御方式が風速値アップである場合、現在の風速値から前記風速値を最大値に達するまで徐々にアップさせ、または、現在の風速値から所定の調整ステップサイズに従って前記風速値をアップさせ、
または、前記第２ジェスチャーに対応する前記目標制御方式が風速値ダウンである場合、現在の風速値から前記風速値を最小値に達するまで徐々にダウンさせ、または、現在の風速値から所定の調整ステップサイズに従って前記風速値をダウンさせる、
ことを特徴とする請求項２５に記載のファン。
【請求項２７】
前記コントローラは、具体的には、
前記ユーザの肢体がユーザの手部である場合、検出された前記赤外線放射エリアが上下に移動するとき、前記目標姿勢が、前記ファンの首振り角度値を調整する第３ジェスチャーであると決定する、
ことを特徴とする請求項２１に記載のファン。
【請求項２８】
前記コントローラは、具体的には、
検出された前記赤外線放射エリアが上へ移動する場合、前記第３ジェスチャーに対応する前記目標制御方式が首振り角度値アップであると決定し、
検出された前記赤外線放射エリアが下へ移動する場合、前記第３ジェスチャーに対応する前記目標制御方式が首振り角度値ダウンであると決定する、
ことを特徴とする請求項２７に記載のファン。
【請求項２９】
前記コントローラは、具体的には、
前記第３ジェスチャーに対応する前記目標制御方式が首振り角度値アップである場合、現在の首振り角度値から前記首振り角度値を最大値に達するまで徐々にアップさせ、または、現在の首振り角度値から所定の調整ステップサイズに従って前記首振り角度値をアップさせ、
または、前記第３ジェスチャーに対応する前記目標制御方式が首振り角度値ダウンである場合、現在の首振り角度値から前記首振り角度値を最小値に達するまで徐々にダウンさせ、または、現在の首振り角度値から所定の調整ステップサイズに従って前記首振り角度値をダウンさせる、
ことを特徴とする請求項２８に記載のファン。
【請求項３０】
前記コントローラは、具体的には、
前記変化軌跡として前記赤外線放射エリアが所定期間内に前記ユーザの手部の現在位置に対応するサブエリアに維持されている場合、前記目標姿勢が第１ジェスチャーであると決定し、
または、前記変化軌跡として前記赤外線放射エリアが前記ユーザの手部の現在位置に対応するサブエリアから右または左へ平行に移動する場合、前記目標姿勢が第２ジェスチャーであると決定し、
または、前記変化軌跡として前記赤外線放射エリアが前記ユーザの手部の現在位置に対応するサブエリアから上または下へ平行に移動する場合、ユーザの目標姿勢が第３ジェスチャーであると決定する、
ことを特徴とする請求項２２、２４または２７のいずれか一項に記載のファン。
【請求項３１】
メモリと、
プロセッサと、
メモリに記憶されてプロセッサで実行可能なプログラムと、を含み、
前記プロセッサは、請求項１〜１０のいずれか一項に記載のファンの制御方法を実行する、
ことを特徴とするファンの制御装置。
【請求項３２】
実行可能なプログラムコードを記憶するための非一時的なコンピュータ読み取り可能な記憶媒体であって、
前記プログラムコードは、請求項１〜１０のいずれかに記載のファンの制御方法を実行する、
ことを特徴とする非一時的なコンピュータ読み取り可能な記憶媒体。
【請求項３３】
請求項１〜１０のいずれかに記載のファンの制御方法を実行する、
ことを特徴とするコンピュータプログラム製品。
【発明の詳細な説明】
【技術分野】
【０００１】
（関連出願の相互参照）
本願は、広東美的環境電器製造有限公司、美的集団股フン有限公司が２０１６年１２月２６日に出願した、発明名称が「ファンの制御方法および装置、並びにファン」であり、中国出願番号が第２０１６１１２２０４９２．０号の優先権を主張する。
【０００２】
本願は、スマートホームの分野に関し、特に、ファンの制御方法および装置、並びにファンに関する。
【背景技術】
【０００３】
人々の様々な要望を満たすために、市場では、様々なファンが登場している。たとえば、羽根のないファンは、快適さについてのユーザの要望を大きく満たしている。当該種類のファンは、制御盤が支持枠に設けられ、支持枠が地面に近いことに応じて、制御盤の制御ボタンも低い。ユーザがファンの制御を行う際に、腰を落としたりしゃがんだりしないと、制御ボタンの操作ができないため、操作の利便性を欠く。リモコンで制御する場合、一般的に、リモコンが見つからないことによってユーザが制御操作を行うことができなくなる。
【発明の概要】
【発明が解決しようとする課題】
【０００４】
本願の実施例の第１の目的は、ユーザの姿勢の変化に基づいてファンを制御するという目的を実現し、ファンのオン・オフ制御をより知能的で柔軟にするファンの制御方法を提供し、ユーザが従来のファンの制御盤またはリモコンに頼ってファンの制御をせずに済むため、従来ユーザが制御盤またはリモコンでファンを制御する際に存在する利便性を欠くという課題が解決される。
【０００５】
本願の実施例の第２の目的は、ファンの制御装置を提供する。
本願の実施例の第３の目的は、ファンを提供する。
本願の実施例の第４の目的は、別のファンの制御装置を提供する。
本願の実施例の第５の目的は、非一時的なコンピュータ読み取り可能な記憶媒体を提供する。
本願の実施例の第６の目的は、コンピュータプログラム製品を提供する。
【課題を解決するための手段】
【０００６】
本願の実施例は、ファンに設けられた赤外線アレイセンサによって、ファンの前方に位置するユーザの肢体の現在の目標姿勢を識別するステップと、前記目標姿勢に対応する目標制御方式を取得するステップと、前記目標制御方式に応じた前記ファンの制御を行うステップと、を含むファンの制御方法を提供する。
【０００７】
選択可能に、ファンに設けられた赤外線アレイセンサによって、ファンの前方に位置するユーザの肢体の現在の目標姿勢を識別するステップは、前記赤外線アレイセンサに対応するカバーエリア内で赤外線放射を放出する赤外線放射エリアの変化軌跡を取得するステップと、前記変化軌跡に基づいて前記ユーザの肢体の目標姿勢を決定するステップと、を含む。
【０００８】
さらに、前記ユーザの肢体がユーザの手部である場合、前記変化軌跡に基づいて前記ユーザの肢体の目標姿勢を決定するステップは、前記赤外線放射エリアが所定期間内にそのまま維持されていると検出された場合、前記目標姿勢が、ファンをオン・オフにする第１ジェスチャーであると決定するステップを含む。
【０００９】
また、選択可能に、前記目標姿勢に対応する目標制御方式を取得するステップは、検出された赤外線放射量が所定範囲内にある場合、前記ファンの現在の作動状態を識別するステップと、現在の作動状態がオン状態である場合、前記目標制御方式がオフ制御であると決定するステップと、現在の作動状態がオフ状態である場合、前記目標制御方式がオン制御であると決定するステップと、を含む。
【００１０】
さらに、前記ユーザの肢体がユーザの手部である場合、前記変化軌跡に基づいて前記ユーザの目標姿勢を決定するステップは、検出された前記赤外線放射エリアが左右に移動する場合、前記目標姿勢が前記ファンの風速値を調整する第２ジェスチャーであると決定するステップを含む。
【００１１】
また、選択可能に、前記目標姿勢に対応する目標制御方式を取得するステップは、検出された赤外線放射量が所定範囲内にあり、かつ前記赤外線放射エリアが右へ移動する場合、前記第２ジェスチャーに対応する前記目標制御方式が風速値アップであると決定するステップと、検出された前記赤外線放射量が前記所定範囲内にあり、かつ前記赤外線放射エリアが左へ移動する場合、前記第２ジェスチャーに対応する前記目標制御方式が風速値ダウンであると決定するステップと、を含む。
【００１２】
さらに、前記第２ジェスチャーに対応する前記目標制御方式が風速値アップである場合、前記目標制御方式に応じた前記ファンの制御を行うステップは、現在の風速値から前記風速値を最大値に達するまで徐々にアップさせるステップ、または、現在の風速値から所定の調整ステップサイズに従って前記風速値をアップさせるステップを含み、前記第２ジェスチャーに対応する前記目標制御方式が風速値ダウンである場合、前記目標制御方式に応じた前記ファンの制御を行うステップは、現在の風速値から前記風速値を最小値に達するまで徐々にダウンさせるステップ、または、現在の風速値から所定の調整ステップサイズに従って前記風速値をダウンさせるステップを含む。
【００１３】
また、選択可能に、前記ユーザの肢体がユーザの手部である場合、前記変化軌跡に基づいて前記ユーザの目標姿勢を決定するステップは、検出された前記赤外線放射エリアが上下に移動する場合、前記目標姿勢が前記ファンの首振り角度値を調整する第３ジェスチャーであると決定するステップを含む。
【００１４】
さらに、前記目標姿勢に対応する目標制御方式を取得するステップは、検出された赤外線放射量が前記所定範囲内にあり、かつ前記赤外線放射エリアが上へ移動する場合、前記第３ジェスチャーに対応する前記目標制御方式が首振り角度値アップであると決定するステップと、検出された前記赤外線放射量が前記所定範囲内にあり、かつ前記赤外線放射エリアが左へ移動する場合、前記第３ジェスチャーに対応する前記目標制御方式が首振り角度値ダウンであると決定するステップと、を含む。
【００１５】
また、選択可能に、前記第３ジェスチャーに対応する前記目標制御方式が首振り角度値アップである場合、前記目標制御方式に応じた前記ファンの制御を行うステップは、現在の首振り角度値から前記首振り角度値を最大値に達するまで徐々にアップさせるステップ、または、現在の首振り角度値から所定の調整ステップサイズに従って前記首振り角度値をアップさせるステップを含み、前記第３ジェスチャーに対応する前記目標制御方式が首振り角度値ダウンである場合、前記目標制御方式に応じた前記ファンの制御を行うステップは、現在の首振り角度値から前記首振り角度値を最小値に達するまで徐々にダウンさせるステップ、または、現在の首振り角度値から所定の調整ステップサイズに従って前記首振り角度値をダウンさせるステップを含む。
【００１６】
さらに、前記赤外線アレイセンサの中のすべての赤外線センサは、前記カバーエリアをＮ個のサブエリアに分割し、前記センサと前記サブエリアとは一対一で対応する関係となっており、前記変化軌跡として前記赤外線放射エリアが所定期間内に前記ユーザの手部の現在位置に対応するサブエリアに維持されている場合、前記目標姿勢が前記第１ジェスチャーであると決定し、前記変化軌跡として前記赤外線放射エリアが前記ユーザの手部の現在位置に対応するサブエリアから右または左へ平行に移動する場合、前記目標姿勢が前記第２ジェスチャーであると決定し、前記変化軌跡として前記赤外線放射エリアが前記ユーザの手部の現在位置に対応するサブエリアから上または下へ平行に移動する場合、ユーザの目標姿勢が前記第３ジェスチャーであると決定する。
【００１７】
本願の実施例のファンの制御方法は、ファンに設けられた赤外線アレイセンサによって、ファンの前方に位置するユーザの肢体の現在の目標姿勢を識別し、目標姿勢に対応する目標制御方式を取得し、目標制御方式に応じたファンの制御を行う。本実施例において、ファンに設けられた赤外線アレイセンサによって、ユーザの現在の姿勢を決定して、ファンの制御方式を決定するため、ファンの制御をより知能的で柔軟にすることができる。ユーザの姿勢に基づいてオン・オフ、風速調整、首振り角度調整などのファンの制御を行うことができるので、ユーザが従来のファンの制御盤またはファンのリモコンに頼ったファンの制御をせずに済み、従来のファンにおいてユーザが腰を落としたりしゃがんだりしないと制御盤の操作ができない場合や、リモコンが紛失したり見つからなかったりする場合の操作の利便性を欠くという課題が解決される。
【００１８】
対応的に、本願の実施例は、さらに、ファンに設けられた赤外線アレイセンサによって、ファンの前方に位置するユーザの肢体の現在の目標姿勢を識別する識別モジュールと、前記目標姿勢に対応する目標制御方式を取得する取得モジュールと、前記目標制御方式に応じた前記ファンの制御を行う制御モジュールと、を含むファンの制御装置を提供する。
【００１９】
選択可能に、前記識別モジュールは、前記赤外線アレイセンサに対応するカバーエリア内で赤外線放射を放出する赤外線放射エリアの変化軌跡を取得する取得ユニットと、前記変化軌跡に基づいて前記ユーザの肢体の目標姿勢を決定する決定ユニットと、を含む。
【００２０】
さらに、前記決定ユニットは、具体的には、前記ユーザの肢体がユーザの手部である場合、検出された前記赤外線放射エリアが所定期間内にそのまま維持されている場合、前記目標姿勢が、ファンをオン．オフにする第１ジェスチャーであると決定する。
【００２１】
また、選択可能に、前記取得モジュールは、具体的には、検出された赤外線放射量が所定範囲内にある場合、前記ファンの現在の作動状態を識別し、現在の作動状態がオン状態である場合、前記目標制御方式がオフ制御であると決定し、現在の作動状態がオフ状態である場合、前記目標制御方式がオン制御であると決定する。
【００２２】
さらに、前記決定ユニットは、具体的には、前記ユーザの肢体がユーザの手部である場合、検出された前記赤外線放射エリアが左右に移動する場合、前記目標姿勢が、前記ファンの風速値を調整する第２ジェスチャーであると決定する。
【００２３】
また、選択可能に、前記取得モジュールは、具体的には、検出された赤外線放射量が所定範囲内にあり、かつ前記赤外線放射エリアが右へ移動する場合、前記第２ジェスチャーに対応する前記目標制御方式が風速値アップであると決定し、検出された赤外線放射量が前記所定範囲内にあり、かつ前記赤外線放射エリアが左へ移動した場合、前記第２ジェスチャーに対応する前記目標制御方式が風速値ダウンであると決定する。
【００２４】
さらに、前記制御モジュールは、具体的には、前記第２ジェスチャーに対応する前記目標制御方式が風速値アップである場合、現在の風速値から前記風速値を最大値に達するまで徐々にアップさせ、または、現在の風速値から所定の調整ステップサイズに従って前記風速値をアップさせ、または、前記制御モジュールは、具体的には、前記第２ジェスチャーに対応する前記目標制御方式が風速値ダウンである場合、現在の風速値から前記風速値を最小値に達するまで徐々にダウンさせ、または、現在の風速値から所定の調整ステップサイズに従って前記風速値をダウンさせる。
【００２５】
また、選択可能に、前記決定ユニットは、具体的には、前記ユーザの肢体がユーザの手部である場合、検出された前記赤外線放射エリアが上下に移動する場合、前記目標姿勢が、前記ファンの首振り角度値を調整する第３ジェスチャーであると決定する。
【００２６】
さらに、前記取得モジュールは、具体的には、検出された赤外線放射量が所定範囲内にあり、かつ前記赤外線放射エリアが上へ移動する場合、前記第３ジェスチャーに対応する前記目標制御方式が首振り角度値アップであると決定し、検出された赤外線放射量が前記所定範囲内にあり、かつ前記赤外線放射エリアが左へ移動する場合、前記第３ジェスチャーに対応する前記目標制御方式が首振り角度値ダウンであると決定する。
【００２７】
また、選択可能に、前記制御モジュールは、具体的には、前記第３ジェスチャーに対応する前記目標制御方式が首振り角度値アップである場合、現在の首振り角度値から前記首振り角度値を最大値に達するまで徐々にアップさせ、または、現在の首振り角度値から所定の調整ステップサイズに従って前記首振り角度値をアップさせ、または、前記制御モジュールは、具体的には、前記第３ジェスチャーに対応する前記目標制御方式が首振り角度値ダウンである場合、現在の首振り角度値から前記首振り角度値を最小値に達するまで徐々にダウンさせ、または、現在の首振り角度値から所定の調整ステップサイズに従って前記首振り角度値をダウンさせる。
【００２８】
さらに、前記決定ユニットは、具体的には、前記変化軌跡として前記赤外線放射エリアが所定期間内に前記ユーザの手部の現在位置に対応するサブエリアに維持されている場合、前記目標姿勢が前記第１ジェスチャーであると決定し、または、前記変化軌跡として前記赤外線放射エリアが前記ユーザの手部の現在位置に対応するサブエリアから右または左へ平行に移動する場合、前記目標姿勢が前記第２ジェスチャーであると決定し、または、前記変化軌跡として前記赤外線放射エリアが前記ユーザの手部の現在位置に対応するサブエリアから上または下へ平行に移動する場合、ユーザの目標姿勢が前記第３ジェスチャーであると決定し、ここで、前記赤外線アレイセンサの中のすべての赤外線センサは、前記カバーエリアをＮ個のサブエリアに分割し、前記赤外線センサと前記サブエリアとは一対一で対応する関係となっている。
【００２９】
本願の実施例のファンの制御装置は、ファンに設けられた赤外線アレイセンサによって、ファンの前方に位置するユーザの肢体の現在の目標姿勢を識別し、目標姿勢に対応する目標制御方式を取得し、目標制御方式に応じたファンの制御を行う。本実施例において、ファンに設けられた赤外線アレイセンサによって、ユーザの現在の姿勢を決定してファンの制御方式を決定するため、ファンの制御をより知能的で柔軟にすることができる。ユーザの姿勢基づいてオン・オフ、風速調整、首振り角度調整などのファンの制御を行うことができるので、ユーザが従来のファンの制御盤またはファンのリモコンに頼ったファンの制御をせずに済み、従来のファンにおいてユーザが腰を落としたりしゃがんだりしないと制御盤の操作ができない場合や、リモコンが紛失したり見つからなかったりする場合の操作の利便性を欠くという課題が解決される。
【００３０】
対応的に、本願の実施例は、ファン本体とベースとを含むファンをさらに提供し、前記ファン本体は、前記ベースに揺動可能に取り付けられ、前記ファン本体は、前記ファンの前方に位置するユーザの肢体の赤外線放射を検出する赤外線アレイセンサと、前記赤外線アレイセンサに対応するカバーエリア内で赤外線放射を放出する赤外線放射エリアの変化軌跡を取得し、前記変化軌跡に基づいて前記ユーザの肢体の目標姿勢を決定し、前記目標姿勢に対応する目標制御方式を取得し、前記目標制御方式に応じた前記ファンの制御を行うコントローラと、を含む。
【００３１】
選択可能に、前記コントローラは、具体的には、前記ユーザの肢体がユーザの手部である場合、検出された前記赤外線放射エリアが所定期間内にそのまま維持されている場合、前記目標姿勢が、ファンをオン・オフにする第１ジェスチャーであると決定する。
【００３２】
さらに、前記コントローラは、具体的には、検出された赤外線放射量が前記所定範囲内にある場合、前記ファンの現在の作動状態を識別し、現在の作動状態がオン状態である場合、前記目標制御方式がオフ制御であると決定し、現在の作動状態がオフ状態である場合、前記目標制御方式がオン制御であると決定する。
【００３３】
また、選択可能に、前記コントローラは、具体的には、前記ユーザの肢体がユーザの手部である場合、検出された前記赤外線放射エリアが左右に移動する場合、前記目標姿勢が、前記ファンの風速値を調整する第２ジェスチャーであると決定する。
【００３４】
さらに、前記コントローラは、具体的には、検出された赤外線放射量が所定範囲内にあり、かつ前記赤外線放射エリアが右へ移動する場合、前記第２ジェスチャーに対応する前記目標制御方式が風速値アップであると決定し、検出された赤外線放射量が前記所定範囲内にあり、かつ前記赤外線放射エリアが左へ移動する場合、前記第２ジェスチャーに対応する前記目標制御方式が風速値ダウンであると決定する。
【００３５】
また、選択可能に、前記コントローラは、具体的には、前記第２ジェスチャーに対応する前記目標制御方式が風速値アップである場合、現在の風速値から前記風速値を最大値に達するまで徐々にアップさせ、または、現在の風速値から所定の調整ステップサイズに従って前記風速値をアップさせ、または、前記第２ジェスチャーに対応する前記目標制御方式が風速値ダウンである場合、現在の風速値から前記風速値を最小値に達するまで徐々にダウンさせ、または、現在の風速値から所定の調整ステップサイズに従って前記風速値をダウンさせる。
【００３６】
また、選択可能に、前記コントローラは、具体的には、前記ユーザの肢体がユーザの手部である場合、検出された前記赤外線放射エリアが上下に移動する場合、前記目標姿勢が前記ファンの首振り角度値を調整する第３ジェスチャーであると決定する。
【００３７】
さらに、前記コントローラは、具体的には、検出された赤外線放射量が所定範囲内にあり、かつ前記赤外線放射エリアが上へ移動する場合、前記第３ジェスチャーに対応する前記目標制御方式が首振り角度値アップであると決定し、検出された赤外線放射量が前記所定範囲内にあり、かつ前記赤外線放射エリアが左へ移動する場合、前記第３ジェスチャーに対応する前記目標制御方式が首振り角度値ダウンであると決定する。
【００３８】
また、選択可能に、前記コントローラは、具体的には、前記第３ジェスチャーに対応する前記目標制御方式が首振り角度値アップである場合、現在の首振り角度値から前記首振り角度値を最大値に達するまで徐々にアップさせ、または、現在の首振り角度値から所定の調整ステップサイズに従って前記首振り角度値をアップさせ、または、前記第３ジェスチャーに対応する前記目標制御方式が首振り角度値ダウンである場合、現在の首振り角度値から前記首振り角度値を最小値に達するまで徐々にダウンさせ、または、現在の首振り角度値から所定の調整ステップサイズに従って前記首振り角度値をダウンさせる。
【００３９】
さらに、前記コントローラは、具体的には、前記変化軌跡として前記赤外線放射エリアが所定期間内に前記ユーザの手部の現在位置に対応するサブエリアに維持されている場合、前記目標姿勢が前記第１ジェスチャーであると決定し、または、前記変化軌跡として前記赤外線放射エリアが前記ユーザの手部の現在位置に対応するサブエリアから右または左へ平行に移動する場合、前記目標姿勢が前記第２ジェスチャーであると決定し、または、前記変化軌跡として前記赤外線放射エリアが前記ユーザの手部の現在位置に対応するサブエリアから上または下へ平行に移動する場合、ユーザの目標姿勢が前記第３ジェスチャーであると決定し、前記赤外線アレイセンサの中のすべての赤外線センサは、前記カバーエリアをＮ個のサブエリアに分割し、前記赤外線センサと前記サブエリアとは一対一で対応する関係となっている。
【００４０】
本願の実施例のファンは、ファン本体に設けられた赤外線アレイセンサによって赤外線放射エリアの変化軌跡を取得し、当該変化軌跡に基づいてユーザの現在の目標姿勢を決定し、目標姿勢に対応する目標制御方式を取得し、目標制御方式に応じたファンの制御を行う。本実施例において、ファンに設けられた赤外線アレイセンサによって、ユーザの現在の姿勢を決定して、ファンの制御方式を決定するため、ファンの制御をより知能的で柔軟にすることができる。ユーザの姿勢に基づいてオン・オフ、風速調整、首振り角度調整などのファンの制御を行うことができるので、ユーザが従来のファンの制御盤またはファンのリモコンに頼ったファンの制御をせずに済み、従来のファンにおいてユーザが腰を落としたりしゃがんだりしないと制御盤の操作ができない場合や、リモコンが紛失したり見つからなかったりする場合の操作の利便性を欠くという課題が解決される。
【００４１】
対応的に、本願の実施例は、メモリと、本願の実施例によって提供される前記ファンの制御方法を実行するプロセッサと、メモリに記憶されてプロセッサで実行可能なプログラムと、を含む別のファンの制御装置をさらに提供する。
【００４２】
また、本願の実施例は、非一時的なコンピュータ読み取り可能な記憶媒体をさらに提供し、前記記憶媒体における指令がサーバ側のプロセッサによって実行される場合、サーバ側は、本願の実施例によって提供される前記ファンの制御方法を実行可能である。
【００４３】
さらに、本願の実施例は、コンピュータプログラム製品を提供し、前記コンピュータプログラム製品における指令がプロセッサによって実行される場合、本願の実施例によって提供される前記ファンの制御方法が実行される。
【００４４】
本願の付加的な特徴及び利点は、一部が以下の記載に示されており、一部が以下の記載により明らかになり、または本願の実践によって理解される。
【００４５】
本願の実施例や従来技術の技術解決策をより明確に説明するために、以下、実施例や従来技術の記載に必要とされる図面を簡単に紹介する。明らかに、以下の記載に関する図面は、単に本願の一部の実施例である。当業者にとって、創作的な尽力をしない前提で、これらの図面から他の図面を得ることもできる。
【図面の簡単な説明】
【００４６】
【図１】本願の実施例によって提供されるファンの制御方法のフローチャートである。
【図２】本願の実施例によって提供される別のファンの制御方法のフローチャートである。
【図３】ユーザの手のひらと赤外線アレイセンサとの１つの位置関係図である。
【図４】ユーザの手のひらと赤外線アレイセンサとの１つの位置関係図である。
【図５】本願の実施例によって提供されるＸ方向にカバーエリアを８つのエリアに分割したことを示す。
【図６】本願の実施例によって提供されるＹ方向にカバーエリアを８つのエリアに分割したことを示す。
【図７】本願の実施例によって提供されるカバーエリアが８＊８のサブエリアに分割されることを示す。
【図８】ユーザの手のひらが赤外線アレイセンサのカバーエリアにあることを示す概略図である。
【図９】本願の実施例によって提供される別のファンの制御方法のフローチャートである。
【図１０】赤外線放射エリアの変化軌跡の概略図１である。
【図１１】赤外線放射エリアの変化軌跡の概略図２である。
【図１２】本願の実施例によって提供されるファンをオフにする制御方法のフローチャートである。
【図１３】赤外線放射エリアの変化軌跡の概略図３である。
【図１４】赤外線放射エリアの変化軌跡の概略図４である。
【図１５】本願の実施例によって提供されるファンの制御装置の概略構成図である。
【図１６】本願の実施例によって提供される識別モジュールの概略構成図である。
【図１７】本願の実施例によって提供されるファンの概略構成図である。
【発明を実施するための形態】
【００４７】
以下、本願の実施例の図面を参照しながら、本願の実施例の技術解決策を明確且つ完全に説明する。明らかに、説明される実施例は、本願の実施例の一部に過ぎず、全てではない。本願の実施例に基づき、当業者が創作的な尽力をしない前提でなし得る全ての実施例は、本願の保護範囲に属するものである。
【００４８】
以下、図面を参照して本願の実施例のファンの制御方法および装置、並びにファンを説明する。
【００４９】
図１は、本願の実施例におけるファンの制御方法のフローチャートである。図１に示すように、当該ファンの制御方法は、以下のステップＳ１０１〜ステップＳ１０３を含む。
【００５０】
Ｓ１０１において、ファンに設けられた赤外線アレイセンサによって、ファンの前方に位置するユーザの肢体の現在の目標姿勢を識別する。
【００５１】
本実施例において、ファン本体に１つの赤外線アレイセンサを増設し、当該赤外線アレイセンサによって、ユーザの肢体から放出される赤外線放射を検出することができる。ユーザの肢体の位置が変化するとき、検出できる、赤外線放射を放出する赤外線放射エリアも変化する。たとえば、ユーザの肢体が位置Ａから位置Ｂに変化すると、赤外線放射エリアもそれに応じて位置Ａから位置Ｂに変化する。さらに、検出された、赤外線放射を放出する赤外線放射エリアの変化軌跡に基づいて、ユーザの肢体の現在の目標姿勢を識別することができる。たとえば、ユーザの肢体がある方向に沿って移動するとき、それに応じて検出された、赤外線放射を放出する赤外線放射エリアも当該方向に移動する。
【００５２】
Ｓ１０２において、目標姿勢に対応する目標制御方式を取得する。
【００５３】
本実施例において、オン・オフ、ファンの風速値、ファンの首振り角度値の制御など、複数の制御方式を予め設定することができる。ユーザの姿勢基づいてファンを制御することを実現できるために、姿勢と制御方式との対応関係を予め構築することができる。ユーザの目標姿勢が識別されると、目標姿勢に対応する目標制御方式を対応関係に基づいて決定することができる。
【００５４】
たとえば、ユーザの肢体がユーザの手部である。手部は、異なる方向に移動可能であり、異なる移動方向が、異なる姿勢に設定される。ユーザの肢体がユーザの頭部であってもよい。左右首振り、上下首振りなど、首振り方向に基づいて設定する。ユーザの肢体がユーザの上肢であってもよく、上肢は、方向ごとに一定の弧線を描くことができ、上肢の異なる弧線描き方向を異なる姿勢に設定し、たとえば、上肢が左から右へ、または、右から左へ上方に向かって弧線を描くことを２つの姿勢とし、上肢が左から右へ、または、右から左へ下方に向かって弧線を描くことを２つの姿勢とする。異なる姿勢は、異なる制御方式に対応する。左から右へ上方に向かって弧線を描くこと、および右から左へ上方に向かって弧線を描くことは、風速の調整に対応し、左から右へ下方に向かって弧線を描くこと、および右から左へ下に向かって弧線を描くことは、首振り角度の調整に対応する。
【００５５】
Ｓ１０３において、目標制御方式に応じてファンを制御する。
【００５６】
目標姿勢に基づいて目標制御方式を決定すると、それに応じたファンの制御を行うことができる。たとえば、目標制御方式がファンの風速値調整である場合、現在の風速値から風速値を調整する。
【００５７】
本実施例によって提供されるファンの制御方法は、ファンに設けられた赤外線アレイセンサによって、ファンの前方に位置するユーザの肢体の現在の目標姿勢を識別し、目標姿勢に対応する目標制御方式を取得し、目標制御方式に応じたファンの制御を行う。本実施例において、ファンに設けられた赤外線アレイセンサによって、ユーザの現在の姿勢を決定して、ファンの制御方式を決定するため、ファンの制御をより知能的で柔軟にすることができる。ユーザの姿勢に基づいて、オン・オフ、風速調整、首振り角度調整などのファンの制御を行うことができるので、ユーザが従来のファンの制御盤またはファンのリモコンに頼ったファンの制御をせずに済み、従来のファンにおいてユーザが腰を落としたりしゃがんだりしないと制御盤の操作ができない場合や、リモコンが紛失したり見つからなかったりする場合に操作の利便性を欠くという課題が解決される。
【００５８】
図２は、本願の実施例によって提供される別のファンの制御方法のフローチャートである。ユーザの肢体がユーザの手部であることを例とし、本実施例によって提供されるファンの制御方法を説明する。
【００５９】
当該ファンの制御方法は、以下のステップＳ２０１〜ステップＳ２０８を含む。
【００６０】
Ｓ２０１において、赤外線アレイセンサに対応するカバーエリア内で赤外線放射を放出する赤外線放射エリアの変化軌跡を取得する。
【００６１】
通常、赤外線センサは、ユーザの手部から放出される赤外線放射を検出することができる。従来のファン本体には、１つの赤外線センサが設けられている。本実施例において、従来のファン本体の単一の赤外線センサの代わりに、複数の赤外線センサを含む１つの赤外線アレイセンサを使用する。赤外線アレイセンサは、ファン本体の３０〜１６０ＣＭの高さの位置に設けられてもよい。位置が低い場合、図３と図４に示すように、赤外線アレイセンサを、ユーザの手のひらに平行に向かわせるように、一定の角度で傾斜させる。ユーザの手部の位置が変化する場合、検出できる、赤外線放射を放出される赤外線放射エリアも変化する。ファンに設けられたコントローラは、カバーエリア内の赤外線放射エリアの変化軌跡に基づいて、計算してユーザの手部の目標ジェスチャーに変換することができる。
【００６２】
Ｓ２０２において、検出された赤外線放射エリアが所定期間内にそのまま維持されている場合、目標姿勢が、ファンをオン・オフにするための第１ジェスチャーであると決定する。
【００６３】
ユーザの手部が赤外線アレイセンサのカバーエリア内のあるエリアに留まっている場合、検出された赤外線放射エリアも現在位置に留まり、変化しない。本実施例において、１つのステップサイズを予め設定し、赤外線放射エリアが所定期間内にそのまま維持されている場合、目標姿勢が、ファンをオン・オフにするための第１ジェスチャーであると決定される。
【００６４】
本実施例において、赤外線アレイセンサのカバーエリアが、図５と図６に示すように、Ｘ、Ｙ方向に複数のエリアに分割される。図５は、本実施例によって提供されるＸ方向にカバーエリアを８つのエリアに分割したことを示す。図６は、本実施例によって提供されるＹ方向にカバーエリアを８つのエリアに分割したことを示す。図７は、本願の実施例によって提供されるカバーエリアが８＊８のサブエリアに分割されることを示す。８＊８のサブエリアアレイは、ＸＹ方向にカバーエリアを８つのエリアに分割して形成される。ここで、赤外線センサとサブエリアとは、一対一で対応する関係である。図７に示すように、Ｘ方向は、Ｘ１〜Ｘ８を含み、Ｙ方向は、Ｙ１〜Ｙ８を含む。赤外線アレイセンサによって検出された赤外線放射量は、ユーザの手のひらによってカバーされる複数のサブエリアからのものである。各サブエリアの赤外線放射は、ユーザの手部の移動に伴って変化する。
【００６５】
図８は、ユーザの手のひらが赤外線アレイセンサのカバーエリアにあることを示す概略図である。図８では、ユーザの手のひらに対応する赤外線放射エリアが点線枠の中のエリアである。ユーザが手のひらを伸ばして当該点線枠の中のエリアで所定期間だけ維持すると、当該目標姿勢が、ファンをオン・オフにするための第１ジェスチャーであると識別することができる。
【００６６】
Ｓ２０３において、検出された赤外線放射量が所定範囲内にあるか否かを判断する。
【００６７】
ユーザが手を赤外線アレイセンサに伸ばすと、赤外線アレイセンサによって検出される赤外線放射量は、ユーザの手部がカバーエリアに多く入るにつれて、大きくなる。実際の応用において、ユーザの手のひらが広がって半分以上の赤外線アレイセンサをカバーする必要がある。図８では、赤外線アレイセンサは、カバーエリアを８＊８＝６４個のサブエリアに分割し、手のひらが少なくとも８つ以上のサブエリアの範囲をカバーし、しかも各サブエリアの赤外線放射量の偏差が＋／−２０以内にある必要がある。
【００６８】
通常、赤外線アレイセンサのカバー範囲がユーザの手部のカバー範囲より大きいので、ユーザの手部が完全に赤外線アレイセンサのカバー範囲に入る場合、検出された赤外線放射量は、１つの範囲内に維持される。本実施例において、１つの範囲を予め設定することができる。
【００６９】
検出された赤外線放射量が所定範囲内にあるか否かを判断することによって、ユーザの手部の全てが赤外線アレイセンサのカバー範囲内にあるか否かを判断する。検出された赤外線放射量が所定範囲内にあると判断された場合、Ｓ２０４を実行する。
【００７０】
Ｓ２０４において、検出された赤外線放射量が所定範囲内にある場合、ファンの現在の作動状態を識別する。
【００７１】
本実施例において、ファンの作動状態は、オン状態とオフ状態とを含む。検出された赤外線放射量が所定範囲内にある場合、目標姿勢がオン・オフ制御に使用される第１ジェスチャーであると決定されたため、ファンの現在の作動状態を識別する必要がある。現在の作動状態がオン状態である場合、Ｓ２０５を実行するが、現在の作動状態がオフ状態である場合、Ｓ２０７を実行する。
【００７２】
Ｓ２０５において、現在の作動状態がオン状態である場合、目標制御方式が、オフ制御であると決定する。
【００７３】
ユーザの現在の目標姿勢が第１ジェスチャーであると識別された場合、ファンが現在オン状態にあると、ユーザがファンをオフにしようとすることを示し、目標制御方式が、オフ制御であると決定することができる。
【００７４】
Ｓ２０６において、ファンのオフ制御を行う。目標制御方式がオフ制御であると決定されると、当該オフ制御に基づいて、ファンをオフにする。
【００７５】
Ｓ２０７において、現在の作動状態がオフ状態である場合、目標制御方式がオン制御であると決定する。ユーザの現在の目標姿勢が第１ジェスチャーであると識別された場合、ファンが現在オフ状態にあると、ユーザがファンをオンにしようとすることを示し、目標制御方式がオン制御であると決定する。
【００７６】
Ｓ２０８において、ファンのオン制御を行う。目標制御方式がオン制御であると決定されると、当該オン制御に基づいて、ファンをオンにする。
【００７７】
本実施例によって提供されるファンの制御方法には、ファン本体に設けられた赤外線アレイセンサによって赤外線放射エリアの変化軌跡を検出し、検出された赤外線放射エリアが所定期間内にそのまま維持されている場合、現在の目標姿勢が、オン・オフにするための第１ジェスチャーであると決定し、さらに、当該第１ジェスチャーとファンの現在の作動状態とに基づいて、ファンのオン・オフ制御を行う。本実施例において、ユーザの現在のジェスチャーに基づいてファンのオン．オフ制御を自動的に行うため、ファンのオン・オフ制御をより知能的で柔軟にすることができる。よって、ユーザが従来のファンの制御盤またはファンのリモコンに頼ったファンのオン・オフ制御をせずに済み、従来のファンにおいてユーザが腰を落としたりしゃがんだりしないと制御盤の操作ができない場合や、リモコンが紛失したり見つからなかったりする場合の操作の利便性を欠くという課題が解決される。
【００７８】
図９は、本願の実施例によって提供される別のファンの制御方法のフローチャートである。ユーザの肢体がユーザの手部であることを例とし、本実施例によって提供されるファンの制御方法を説明する。
【００７９】
当該ファンの制御方法は、以下のステップＳ３０１〜ステップ３０７を含む。
【００８０】
Ｓ３０１において、赤外線アレイセンサに対応するカバーエリア内で赤外線放射を放出する赤外線放射エリアの変化軌跡を取得する。
詳細内容は、上記実施例の関連内容の記載を参照することができ、ここでは説明を省略する。
【００８１】
Ｓ３０２において、検出された赤外線放射エリアが左右に移動する場合、目標姿勢が、ファンの風速値を調整する第２ジェスチャーであると決定する。
【００８２】
本実施例において、ユーザの手部がカバーエリア内で左または右へ移動する姿勢を、ファンの風速値を調整する第２ジェスチャーに予め設定する。検出された赤外線放射エリアが左右に移動するとき、ユーザの手部が左右に移動することを示し、目標姿勢が、ファンの風速値を調整する第２ジェスチャーであると決定することができる。図７に示すカバーエリアを８＊８のサブエリアに分割することを基に、検出された赤外線放射エリアの変化軌跡としてユーザの手部の現在位置に対応するサブエリアから左右に平行に移動する場合、ユーザの現在の目標姿勢が第２ジェスチャーであると決定することができる。
【００８３】
たとえば、図１０に示すように、ユーザの手部がカバーエリア内で左へ移動する。図１０では、ユーザがＹ２方向にサブエリアＸ８からサブエリアＸ１に平行に移動すると、ユーザの手部がカバーエリア内で左へ移動し、それに応じて、検出された赤外線放射エリアの変化軌跡が、サブエリアＸ８からサブエリアＸ１に平行に移動するものであり、すなわち赤外線放射エリアが、現在位置に対応するサブエリアから左へ平行に移動する。
【００８４】
図１１に示すように、ユーザの手部がカバーエリア内で右へ移動する。図１１では、ユーザがＹ２方向にサブエリアＸ１からサブエリアＸ８に平行に移動すると、ユーザの手部がカバーエリア内で右へ移動し、それに応じて、検出された赤外線放射エリアの変化軌跡が、サブエリアＸ１からサブエリアＸ８に平行に移動するものであり、すなわち赤外線放射エリアが、現在位置に対応するサブエリアから右へ平行に移動する。
【００８５】
Ｓ３０３において、検出された赤外線放射量が所定範囲内にあるか否かを判断する。
Ｓ３０３に関する説明は、上記実施例の関連内容の記載を参照することができ、ここでは説明を省略する。
【００８６】
Ｓ３０４において、検出された赤外線放射量が所定範囲内にあり、かつ赤外線放射エリアが右へ移動する場合、第２ジェスチャーに対応する目標制御方式が風速値アップであると決定する。
【００８７】
本実施例において、カバーエリア内で右へ移動する第２ジェスチャーに対応する目標制御方式を風速値アップに予め設定する。検出された赤外線放射量が所定範囲内にあり、かつ赤外線放射エリアが右へ移動しすなわち目標姿勢が右へ移動する第２ジェスチャーである場合、当該第２ジェスチャーに対応する目標制御方式が風速値アップであると決定することができる。
【００８８】
Ｓ３０５において、現在の風速値から風速値を最大値に達するまで徐々にアップさせる。
【００８９】
第２ジェスチャーに対応する目標制御方式が風速値アップであると決定される場合、現在の風速値から風速値を最大値に達するまで徐々にアップさせる。選択可能に、現在の風速値から所定の調整ステップサイズに従って風速値をアップさせる。たとえば、調整ステップサイズを１ランクに設定し、すなわちユーザの目標姿勢が平行に右へ１回移動すると、ファンの風速値を１ランクアップさせることができる。また、たとえば、ファンの風速値は、１〜１００ランクで変化してもよく、この場合、調整ステップサイズを１０ランクに設定し、すなわちユーザの目標姿勢が平行に右へ１回移動すると、ファンの風速値を１０ランクアップさせることができる。たとえば、現在の風速値が１０ランクであり、ユーザの目標姿勢が平行に右へ１回移動すると、ファンの風速値を２０ランクにアップさせることができる。ファンの風速値は、１〜１０ランクで変化してもよいが、ここではそれについて限定しない。
【００９０】
Ｓ３０６において、所定範囲内にあり、かつ赤外線放射エリアが左へ移動する場合、第２ジェスチャーに対応する目標制御方式が風速値ダウンであると決定する。
【００９１】
本実施例において、カバーエリア内で左へ移動する第２ジェスチャーに対応する目標制御方式を風速値ダウンに予め設定する。検出された赤外線放射量が所定範囲内にあり、かつ赤外線放射エリアが左へ移動しすなわち目標姿勢が左へ移動する第２ジェスチャーである場合、当該第２ジェスチャーに対応する目標制御方式が風速値ダウンであると決定することができる。
【００９２】
Ｓ３０７において、現在の風速値から風速値を最小値に達するまで徐々にダウンさせる。
【００９３】
第２ジェスチャーに対応する目標制御方式が風速値ダウンであると決定されると、現在の風速値から風速値を最小値に達するまで徐々にダウンさせる。選択可能に、現在の風速値から所定の調整ステップサイズに従って風速値をダウンさせる。たとえば、調整ステップサイズを１ランクに設定し、すなわちユーザの目標姿勢が平行に左へ１回移動すると、ファンの風速値を１ランクダウンさせることができる。また、たとえば、ファンの風速値は、１〜１００ランクで変化してもよく、この場合、調整ステップサイズを１０ランクに設定し、すなわちユーザの目標姿勢が平行に左へ１回移動すると、ファンの風速値を１０ランクダウンさせることができる。たとえば、現在の風速値が２０ランクであり、ユーザの目標姿勢が平行に左へ１回移動すると、ファンの風速値を１０ランクにダウンさせることができる。ファンの風速値は、１〜１０ランクで変化してもよいが、ここではそれについて限定しない。
【００９４】
本実施例によって提供されるファンの制御方法は、ファン本体に設けられた赤外線アレイセンサによって赤外線放射エリアの変化軌跡を検出し、検出された赤外線放射エリアが左右に移動する場合、現在の目標姿勢が、ファンの風速値を調整するための第２ジェスチャーであると決定し、左へ移動するとファンの風速値をダウンさせ、右へ移動するとファンの風速値をアップさせる。本実施例において、ユーザの現在のジェスチャーに基づいてファンの風速値を自動的に調整するため、ファンの制御をより知能的で柔軟にすることができる。よって、ユーザが従来のファンの制御盤またはファンのリモコンに頼ったファンの風速制御をせずに済み、従来のファンにおいてユーザが腰を落としたりしゃがんだりしないと制御盤の操作ができない場合や、リモコンが紛失したり見つからなかったりする場合の操作の利便性を欠くという課題が解決される。
【００９５】
図１２は、本願の実施例によって提供される別のファンの制御方法のフローチャートである。ユーザの肢体がユーザの手部であることを例とし、本実施例によって提供されるファンの制御方法を説明する。
【００９６】
当該ファンの制御方法は、以下のステップＳ４０１〜ステップＳ４０７を含む。
【００９７】
Ｓ４０１において、赤外線アレイセンサに対応するカバーエリア内で赤外線放射を放出する赤外線放射エリアの変化軌跡を取得する。詳細は、上記実施例の関連内容の記載を参照することができ、ここでは説明を省略する。
【００９８】
Ｓ４０２において、検出された赤外線放射エリアが上下に移動する場合、目標姿勢が、ファンの首振り角度値を調整する第３ジェスチャーであると決定する。
【００９９】
本実施例において、ユーザの手部がカバーエリア内で上へ動または下へ移動する姿勢を、ファンの首振り角度値を調整する第３ジェスチャーに予め設定する。検出された赤外線放射エリアが上下に移動する場合、ユーザの手部が上下に移動することを示し、目標姿勢がファンの首振り角度値を調整する第３ジェスチャーであると決定することができる。図７に示すカバーエリアを８＊８のサブエリアに分割することを基に、検出された赤外線放射エリアの変化軌跡としてユーザの手部の現在位置に対応するサブエリアから上下に平行に移動する場合、ユーザの現在の目標姿勢が第２ジェスチャーであると決定することができる。
【０１００】
たとえば、図１３に示すように、ユーザの手部がカバーエリア内で上へ移動する。図１３では、ユーザがＸ５方向にサブエリアＹ１からサブエリアＹ８に平行に移動するとき、ユーザの手部がカバーエリア内で上へ移動し、それに応じて、検出された赤外線放射エリアの変化軌跡がサブエリアＹ１からサブエリアＹ８に平行に移動するものであり、すなわち赤外線放射エリアが、現在位置に対応するサブエリアから上へ平行に移動する。
【０１０１】
図１４に示すように、ユーザの手部がカバーエリア内で下へ移動する。図１４では、ユーザがＸ５方向にサブエリアＹ８からサブエリアＹ１に平行に移動するとき、ユーザの手部がカバーエリア内で下へ移動し、それに応じて、検出された赤外線放射エリアの変化軌跡がサブエリアＹ８からサブエリアＹ１に平行に移動するものであり、すなわち赤外線放射エリアが、現在位置に対応するサブエリアから下へ平行に移動する。
【０１０２】
Ｓ４０３において、検出された赤外線放射量が所定範囲内にあるか否かを判断する。
Ｓ４０３に関する説明は、上記実施例の関連内容の記載を参照することができ、ここでは説明を省略する。
【０１０３】
Ｓ４０４において、検出された赤外線放射量が所定範囲内にあり、かつ赤外線放射エリアが上へ移動する場合、第３ジェスチャーに対応する目標制御方式が首振り角度値アップであると決定する。
【０１０４】
本実施例において、カバーエリア内で上へ移動する第３ジェスチャーに対応する目標制御方式を、首振り角度値アップに予め設定する。検出された赤外線放射量が所定範囲内にあり、かつ赤外線放射エリアが上へ移動しすなわち目標姿勢が上へ移動する第３ジェスチャーである場合、当該第３ジェスチャーに対応する目標制御方式が首振り角度値アップであると決定することができる。
【０１０５】
Ｓ４０５において、現在の首振り角度値から首振り角度値を最大値に達するまで徐々にアップさせる。
【０１０６】
第３ジェスチャーに対応する目標制御方式が首振り角度値アップであると決定されると、現在の首振り角度値から首振り角度値を最大値に達するまで徐々にアップさせる。選択可能に、現在の首振り角度値から所定の調整ステップサイズに従って首振り角度値をアップさせる。ファンの首振り角度値は、１〜５ランクであり、それぞれ０度、３０度、６０度、９０度、１２０度であってもよい。たとえば、調整ステップサイズを１ランクに設定し、すなわちユーザの目標姿勢が平行に上へ１回移動すると、ファンの首振り角度値を１ランクアップさせることができる。ファンの現在の首振り角度値が３０度である場合、１ランクアップさせると、ファンの首振り角度値は、６０度になる。
【０１０７】
Ｓ４０６において、所定範囲内にあり、かつ赤外線放射エリアが下へ移動する場合、第３ジェスチャーに対応する目標制御方式が首振り角度値ダウンであると決定する。
【０１０８】
本実施例において、カバーエリア内で下へ移動する第３ジェスチャーに対応する目標制御方式を、首振り角度値ダウンに予め設定する。検出された赤外線放射量が所定範囲内にあり、かつ赤外線放射エリアが下へ移動しすなわち目標姿勢が下へ移動する第３ジェスチャーである場合、当該第３ジェスチャーに対応する目標制御方式が首振り角度値ダウンであると決定することができる。
【０１０９】
Ｓ４０７において、現在の首振り角度値から首振り角度値を最小値に達するまで徐々にダウンさせる。
【０１１０】
第３ジェスチャーに対応する目標制御方式が首振り角度値ダウンであると決定されると、現在の首振り角度値から首振り角度値を最小値に達するまで徐々にダウンさせる。選択可能に、現在の首振り角度値から所定の調整ステップサイズに従って首振り角度値をダウンさせる。ファンの首振り角度値は、１〜５ランクであり、それぞれ０度、３０度、６０度、９０度、１２０度であってもよい。たとえば、調整ステップサイズを１ランクに設定し、すなわちユーザの目標姿勢が平行に下へ１回移動すると、ファンの首振り角度値を１ランクダウンさせることができる。ファンの現在の首振り角度値が６０度である場合、１ランクダウンさせると、ファンの首振り角度値は、３０度になる。
【０１１１】
本実施例によって提供されるファンの制御方法は、ファン本体に設けられた赤外線アレイセンサによって赤外線放射エリアの変化軌跡を検出し、検出された赤外線放射エリアが上下に移動する場合、現在の目標姿勢が、ファンの首振り角度値を調整するための第３ジェスチャーであると決定し、上へ移動するとファンの首振り角度値をアップさせ、下へ移動するとファンの首振り角度値をダウンさせる。本実施例において、ユーザの現在のジェスチャーに基づいてファンの首振り角度値を自動的に調整するので、ファンの制御をより知能的で柔軟にすることができる。よって、ユーザが従来のファンの制御盤またはファンのリモコンに頼ったファンの首振り角度制御をせずに済み、従来のファンにおいてユーザが腰を落としたりしゃがんだりしないと制御盤の操作ができない場合や、リモコンが紛失したり見つからなかったりする場合の操作の利便性を欠くという課題が解決される。
【０１１２】
図１５は、本願の実施例によって提供されるファンの制御装置の概略構成図である。当該ファンの制御装置は、ファンに設けられた赤外線アレイセンサによって、ファンの前方に位置するユーザの肢体の現在の目標姿勢を識別する識別モジュール１１と、前記目標姿勢に対応する目標制御方式を取得する取得モジュール１２と、前記目標制御方式に応じた前記ファンの制御を行う制御モジュール１３と、を含む。
【０１１３】
図１６は、本願の実施例によって提供される識別モジュールの概略構成図である。当該識別モジュール１１は、前記赤外線アレイセンサに対応するカバーエリア内で赤外線放射を放出する赤外線放射エリアの変化軌跡を取得する取得ユニット１１１と、前記変化軌跡に基づいて前記ユーザの肢体の目標姿勢を決定する決定ユニット１１２と、を含む。
【０１１４】
さらに、決定ユニット１１２は、具体的には、前記ユーザの肢体がユーザの手部である場合、検出された前記赤外線放射エリアが所定期間内にそのまま維持されている場合、前記目標姿勢が、ファンをオン・オフにするための第１ジェスチャーであると決定する。
【０１１５】
さらに、取得モジュール１２は、具体的には、検出された赤外線放射量が所定範囲内にある場合、前記ファンの現在の作動状態を識別し、現在の作動状態がオン状態である場合、前記目標制御方式がオフ制御であると決定し、現在の作動状態がオフ状態である場合、前記目標制御方式がオン制御であると決定する。
【０１１６】
さらに、決定ユニット１１２は、具体的には、前記ユーザの肢体がユーザの手部である場合、検出された前記赤外線放射エリアが左右に移動する場合、前記目標姿勢が、前記ファンの風速値を調整する第２ジェスチャーであると決定する。
【０１１７】
さらに、取得モジュール１２は、具体的には、検出された赤外線放射量が所定範囲内にあり、かつ前記赤外線放射エリアが右へ移動する場合、前記第２ジェスチャーに対応する前記目標制御方式が風速値アップであると決定し、検出された赤外線放射量が前記所定範囲内にあり、かつ前記赤外線放射エリアが左へ移動する場合、前記第２ジェスチャーに対応する前記目標制御方式が風速値ダウンであると決定する。
【０１１８】
さらに、制御モジュール１３は、具体的には、前記第２ジェスチャーに対応する前記目標制御方式が風速値アップである場合、現在の風速値から前記風速値を最大値に達するまで徐々にアップさせ、または、現在の風速値から所定の調整ステップサイズに従って前記風速値をアップさせる。または、制御モジュール１３は、具体的には、前記第２ジェスチャーに対応する前記目標制御方式が風速値ダウンである場合、現在の風速値から前記風速値を最小値に達するまで徐々にダウンさせ、または、現在の風速値から所定の調整ステップサイズに従って前記風速値をダウンさせる。
【０１１９】
さらに、決定ユニット１１２は、具体的には、前記ユーザの肢体がユーザの手部である場合、検出された前記赤外線放射エリアが上下に移動する場合、前記目標姿勢が、前記ファンの首振り角度値を調整する第３ジェスチャーであると決定する。
【０１２０】
さらに、取得モジュール１２は、具体的には、検出された赤外線放射量が所定範囲内にあり、かつ前記赤外線放射エリアが上へ移動する場合、前記第３ジェスチャーに対応する前記目標制御方式が首振り角度値アップであると決定し、検出された赤外線放射量が前記所定範囲内にあり、かつ前記赤外線放射エリアが左へ移動する場合、前記第３ジェスチャーに対応する前記目標制御方式が首振り角度値ダウンであると決定する。
【０１２１】
また、制御モジュール１３は、具体的には、前記第３ジェスチャーに対応する前記目標制御方式が首振り角度値アップである場合、現在の首振り角度値から前記首振り角度値を最大値に達するまで徐々にアップさせ、または、現在の首振り角度値から所定の調整ステップサイズに従って前記首振り角度値をアップさせる。または、制御モジュール１３は、具体的には、前記第３ジェスチャーに対応する前記目標制御方式が首振り角度値ダウンである場合、現在の首振り角度値から前記首振り角度値を最小値に達するまで徐々にダウンさせ、または、現在の首振り角度値から所定の調整ステップサイズに従って前記首振り角度値をダウンさせる。
【０１２２】
さらに、決定ユニット１１２は、具体的には、前記変化軌跡として前記赤外線放射エリアが所定期間内に前記ユーザの手部の現在位置に対応するサブエリアに維持されている場合、前記目標姿勢が前記第１ジェスチャーであると決定し、または、前記変化軌跡として前記赤外線放射エリアが前記ユーザの手部の現在位置に対応するサブエリアから右または左へ平行に移動する場合、前記目標姿勢が前記第２ジェスチャーであると決定し、または、前記変化軌跡として前記赤外線放射エリアが前記ユーザの手部の現在位置に対応するサブエリアから上または下へ平行に移動する場合、ユーザの目標姿勢が前記第３ジェスチャーであると決定する。ここで、赤外線アレイセンサの中のすべての赤外線センサは、前記カバーエリアをＮ個のサブエリアに分割する。
【０１２３】
本実施例によって提供されるファンの制御装置は、ファンに設けられた赤外線アレイセンサによってファンの前方に位置するユーザの肢体の現在の目標姿勢を識別し、目標姿勢に対応する目標制御方式を取得し、目標制御方式に応じたファンの制御を行う。本実施例において、ファンに設けられた赤外線アレイセンサによってユーザの現在の姿勢を決定してファンの制御方式を決定するため、ファンの制御をより知能的で柔軟にすることができる。ユーザの姿勢に基づいて、オン・オフ、風速調整、首振り角度調整などのファンの制御を行うことができるので、ユーザが従来のファンの制御盤またはファンのリモコンに頼ったファンの制御をせずに済み、従来のファンにおいてユーザが腰を落としたりしゃがんだりしないと制御盤の操作ができない場合や、リモコンが紛失したり見つからなかったりする場合の操作の利便性を欠くという課題が解決される。
【０１２４】
図１７は、本願の実施例によって提供されるファンの概略構成図である。当該ファンは、ファン本体２１とベース２２とを含み、前記ファン本体２１が前記ベース２２に揺動可能に取り付けられる。前記ファン本体２１は、赤外線アレイセンサ２１１とコントローラ２１２とを含む。
前記赤外線アレイセンサ２１１は、前記ファンの前方に位置するユーザの肢体の赤外線放射の検出を行う。
コントローラ２１２は、前記赤外線アレイセンサに対応するカバーエリア内で赤外線放射を放出する赤外線放射エリアの変化軌跡を取得し、前記変化軌跡に基づいて前記ユーザの肢体の目標姿勢を決定し、前記目標姿勢に対応する目標制御方式を取得し、前記目標制御方式に応じた前記ファンの制御を行う。
【０１２５】
コントローラ２１２は、具体的には、前記ユーザの肢体がユーザの手部である場合、検出された前記赤外線放射エリアが所定期間内にそのまま維持されている場合、前記目標姿勢が、ファンをオン・オフにするための第１ジェスチャーであると決定する。
【０１２６】
コントローラ２１２は、具体的には、検出された赤外線放射量が前記所定範囲内にある場合、前記ファンの現在の作動状態を識別し、現在の作動状態がオン状態である場合、前記目標制御方式がオフ制御であると決定し、現在の作動状態がオフ状態である場合、前記目標制御方式がオン制御であると決定する。
【０１２７】
コントローラ２１２は、具体的に、前記ユーザの肢体がユーザの手部である場合、検出された前記赤外線放射エリアが左右に移動する場合、前記目標姿勢が、前記ファンの風速値を調整する第２ジェスチャーであると決定する。
【０１２８】
コントローラ２１２は、具体的には、検出された赤外線放射量が所定範囲内にあり、かつ前記赤外線放射エリアが右へ移動する場合、前記第２ジェスチャーに対応する前記目標制御方式が風速値アップであると決定し、検出された赤外線放射量が前記所定範囲内にあり、かつ前記赤外線放射エリアが左へ移動する場合、前記第２ジェスチャーに対応する前記目標制御方式が風速値ダウンであると決定する。
【０１２９】
コントローラ２１２は、具体的には、前記第２ジェスチャーに対応する前記目標制御方式が風速値アップである場合、現在の風速値から前記風速値を最大値に達するまで徐々にアップさせ、または、現在の風速値から所定の調整ステップサイズに従って前記風速値をアップさせる。または、コントローラ２１２は、具体的には、前記第２ジェスチャーに対応する前記目標制御方式が風速値ダウンである場合、現在の風速値から前記風速値を最小値に達するまで徐々にダウンさせ、または、現在の風速値から所定の調整ステップサイズに従って前記風速値をダウンさせる。
【０１３０】
コントローラ２１２は、具体的には、検出された前記赤外線放射エリアが上下に移動する場合、前記目標姿勢が、前記ファンの首振り角度値を調整する第３ジェスチャーであると決定する。
【０１３１】
コントローラ２１２は、具体的には、検出された赤外線放射量が所定範囲内にあり、かつ前記赤外線放射エリアが上へ移動する場合、前記第３ジェスチャーに対応する前記目標制御方式が首振り角度値アップであると決定し、検出された赤外線放射量が前記所定範囲内にあり、かつ前記赤外線放射エリアが左へ移動する場合、前記第３ジェスチャーに対応する前記目標制御方式が首振り角度値ダウンであると決定する。
【０１３２】
コントローラ２１２は、具体的には、前記第３ジェスチャーに対応する前記目標制御方式が首振り角度値アップである場合、現在の首振り角度値から前記首振り角度値を最大値に達するまで徐々にアップさせ、または、現在の首振り角度値から所定の調整ステップサイズに従って前記首振り角度値をアップさせる。または、コントローラ２１２は、具体的には、前記第３ジェスチャーに対応する前記目標制御方式が首振り角度値ダウンである場合、現在の首振り角度値から前記首振り角度値を最小値に達するまで徐々にダウンさせ、または、現在の首振り角度値から所定の調整ステップサイズに従って前記首振り角度値をダウンさせる。
【０１３３】
コントローラ２１２は、具体的に、前記変化軌跡として前記赤外線放射エリアが所定期間内に前記ユーザの手部の現在位置に対応するサブエリアに維持されている場合、前記目標姿勢が前記第１ジェスチャーであると決定し、または、前記変化軌跡として前記赤外線放射エリアが前記ユーザの手部の現在位置に対応するサブエリアから右または左へ平行に移動する場合、前記目標姿勢が前記第２ジェスチャーであると決定し、または、前記変化軌跡として前記赤外線放射エリアが前記ユーザの手部の現在位置に対応するサブエリアから上または下へ平行に移動する場合、ユーザの目標姿勢が前記第３ジェスチャーであると決定する。ここで、前記赤外線アレイセンサ２１１の中のすべての赤外線センサは、前記カバーエリアをＮ個のサブエリアに分割し、前記赤外線センサと前記サブエリアとは一対一で対応する関係となっている。
【０１３４】
さらに、当該ファン本体にはドライバをさらに設けてもよく、当該ドライバは、コントローラ２１２に接続され、コントローラ２１２によって目標制御方式が決定されると、コントローラ２１２からの制御指令に従って、ファンのオン・オフ、風速値の調整、首振り角度の調整、表示などを駆動することができる。
【０１３５】
本  願の実施例のファンは、ファン本体に設けられた赤外線アレイセンサによって赤外線放射エリアの変化軌跡を取得し、当該変化軌跡基づいてユーザの現在の目標姿勢を決定し、目標姿勢に対応する目標制御方式を取得し、目標制御方式に応じたファンの制御を行う。本実施例において、ファンに設けられた赤外線アレイセンサによって、ユーザの現在の姿勢を決定してファンの制御方式を決定するため、ファンの制御をより知能的で柔軟にすることができる。ユーザの姿勢に基づいて、オン・オフ、風速調整、首振り角度調整などのファンの制御を行うことができるので、ユーザが従来のファンの制御盤またはファンのリモコンに頼ったファンの制御をせずに済み、従来のファンにおいてユーザが腰を落としたりしゃがんだりしないと制御盤の操作ができない場合や、リモコンが紛失したり見つからなかったりする場合の操作の利便性を欠くという課題が解決される。
【０１３６】
上記の各実施例に基づき、本願は、メモリと、上記のいずれかの実施例に記載のファンの制御方法を実行するプロセッサと、メモリに記憶されてプロセッサで実行可能なプログラムと、を含む別のファンの制御装置をさらに提供する。
【０１３７】
また、本願の実施例は、実行可能なプログラムコードを記憶するための非一時的なコンピュータ読み取り可能な記憶媒体をさらに提供し、前記プログラムコードが、上記のいずれかの実施例に記載のファンの制御方法を実行する。
【０１３８】
さらに、本願の実施例は、コンピュータプログラム製品を提供して、上記のいずれかの実施例に記載のファンの制御方法を実行する。
【０１３９】
本願の実施例の技術解決策は、実質上または従来技術に貢献した部分がコンピュータソフトウェア製品の形式で具現化される。当該コンピュータソフトウェア製品は、１つの記憶媒体（たとえば、ＲＯＭ／ＲＡＭ、磁気ディスクまたは光ディスク）に記憶され、本願の実施例の図１〜２、図９および図１２に記載のファンの制御方法の一部またはすべてのステップを実行するように端末を制御するための複数の命令を含む。
【０１４０】
本発明の説明において、「一実施例」、「一部の実施例」、「例」、「具体的な例」、或いは「一部の例」などの用語を参考した説明とは、当該実施例或いは例に合わせて説明された具体的な特徴、構成、材料或いは特性が、本開示の少なくとも１つの実施例或いは例に含まれることである。本明細書において、上記用語に対する例示的な説明は、必ずしも同じ実施例或いは例を示すものではない。また、説明された具体的な特徴、構成、材料或いは特性は、いずれか１つ或いは複数の実施例又は例において適切に結合することができる。なお、相互に矛盾しない限り、当業者は、本明細書において説明された異なる実施例又は例、及び異なる実施例又は例の特徴を結合し、組み合わせることができる。
【０１４１】
なお、「第１」、「第２」の用語は、単に目的を説明するためのものであり、比較的な重要性を指示または暗示するか、或いは示された技術的特徴の数を黙示的に指示すると理解してはいけない。よって、「第１」、「第２」と限定されている特徴は少なくとも１つの前記特徴を含むことを明示または暗示するものである。本発明の説明において、明確且つ具体的な限定がない限り、「複数」とは、少なくとも２つ、例えば、２つ、３つなどを意味する。
【０１４２】
フローチャートにおける、又はここで他の形態で記載された任意のプロセス又は方法は、特定ロジック機能又はプロセスのステップを実現するための１つ又は複数の実行可能な命令コードを含むモジュール、セグメント又は一部を表すと理解されてもよい。また、本発明の好ましい実施形態の範囲は、ここで、示された又は論議された順番ではなく、係る機能に応じてほぼ同時の形態又は逆の順番で機能を実行することができる他の実現を含むことができる。これは、当業者であれば理解すべきものである。
【０１４３】
フローチャートで示された又はここで他の形態で説明されたロジック及び／又はステップは、例えば、ロジック機能を実現するための実行可能な命令の順番付けられたリストと見なすことができ、任意のコンピュータ読み取り可能な記憶媒体に具体的に実装されて、命令実行システム、装置、又はデバイス（例えばコンピュータに基づいたシステム、プロセッサを含むシステム、又は他の命令実行システム、装置又はデバイスから命令を獲得して命令を実行するシステム）に利用されるか、又はこれらの命令実行システム、装置又はデバイスと組み合わせて利用される。本願明細書において、「コンピュータ読み取り可能な記憶媒体」は、命令実行システム、装置又はデバイスによって、又は、命令実行システム、装置又はデバイスと組み合わせて使用するためのプログラムを含む、格納する、通信する、伝播する、又は伝送することができる任意の装置であってもよい。コンピュータ読み取り可能な記憶媒体のより具体的な例（非限定的なリスト）として、１つ又は複数の配線を備える電気接続部（電子デバイス）、ポータブルコンピュータディスクカートリッジ（磁気デバイス）、ランダムアクセスメモリ（ＲＡＭ）読み出し専用メモリ（ＲＯＭ）、消去可能なプログラマブル読み出し専用メモリ（ＥＰＲＯＭ又はフラッシュメモリ）、光ファイバデバイス、及びポータブルコンパクトディスク読み出し専用リメモリ（ＣＤＲＯＭ）を含む。また、コンピュータ読み取り可能な記憶媒体は、前記プログラムが印刷され得る紙又は他の適切な媒体であってもよく、これは、例えば、紙や他の媒体を光学的スキャンし、次に編集し、解釈し、又は必要な場合に他の適切な形態で処理して前記プログラムを電子的に取得して、そしてコンピュータメモリに格納するからである。
【０１４４】
なお、本発明の各部分は、ハードウェア、ソフトウェア、ファームウェア、又はこれらの組み合わせによって実現することができる。上記実施形態において、複数のステップ又は方法は、メモリに記憶された且つ適切な命令実行システムによって実行されるソフトウェア又はファームウェアによって実現することができる。例えば、ハードウェアで実現される場合に、もう１つの実施形態と同様に、本分野において周知である、データ信号に対してロジック機能を実現するためのロジックゲート回路を備える離散ロジック回路、適切な組み合わせのロジックゲート回路を備える特定用途向け集積回路、プログラマブルゲートアレイ（ＰＧＡ）、フィールドプログラマブルゲートアレイ（ＦＰＧＡ）などの当分野の周知技術のうちいずれか１つ又はこれらの組み合わせによって実現することができる。
【０１４５】
通常の当業者である場合、上記の実施例に係る方法に含まれる全部又は一部のステップは、プログラムによってハードウェアを命令することで実行することができると理解することができる。前記プログラムは、コンピュータ読み取り可能な記憶媒体に格納することができ、当該プログラムが実行される場合に、方法の実施例におけるステップの１つ又はそれらの組み合わせが実行される。
【０１４６】
また、本発明の各実施例における各機能ユニットは、１つの処理モジュールに集積されてもよいし、それぞれが個別の物理的存在であってもよいし、２つ以上のユニットが１つのモジュールに集積されてもよい。前記集積モジュールは、ハードウェアの形態で実現されてもよいし、ソフトウェア機能モジュールの形態で実現されてもよい。前記集積モジュールがソフト機能モジュールの形態で実現されるとともに、独立した製品として販売又は使用される場合に、１つのコンピュータ読み取り可能な記憶媒体に記憶されてもよい。
【０１４７】
上記の記憶媒体は、読み出し専用メモリ、磁気ディスク、又はＣＤなどであってもよい。なお、以上、本発明の実施例を示して説明したが、上記実施例は例示するものであって、本発明を制限するためのものであると理解してはいけない。通常の当業者である場合、本発明の範囲内で上記実施例に対して変更、修正、置換え、変形を行うことができる。
【０１４８】
以上開示されたのは、本発明の好適な実施例に過ぎず、当然ながら、それによって本発明の特許範囲を限定してはいけない。本願の特許請求の範囲に基づいてなされた同等の変更も、本願のカバー範囲内に含まれる。
【符号の説明】
【０１４９】
１１  識別モジュール
１２  取得モジュール
１３  制御モジュール
２１  ファン本体
２２  ベース
１１１  取得ユニット
１１２  決定ユニット
２１１  赤外線アレイセンサ
２１２  コントローラ
【図１】
0006839287.tif 000002
【図２】
0006839287.tif 000003
【図３】
0006839287.tif 000004
【図４】
0006839287.tif 000005
【図５】
0006839287.tif 000006
【図６】
0006839287.tif 000007
【図７】
0006839287.tif 000008
【図８】
0006839287.tif 000009
【図９】
0006839287.tif 000010
【図１０】
0006839287.tif 000011
【図１１】
0006839287.tif 000012
【図１２】
0006839287.tif 000013
【図１３】
0006839287.tif 000014
【図１４】
0006839287.tif 000015
【図１５】
0006839287.tif 000016
【図１６】
0006839287.tif 000017
【図１７】
0006839287.tif 000018